(57)【特許請求の範囲】
【請求項１】
電池収容室を有する電子機器において、
前記電池収容室に収容される電池の端子と接触可能な突起が形成され、電子機器本体に対して回動可能に取り付けられる端子部材と、
前記端子部材に対してスライド可能に支持されるとともに、前記電子機器本体と係合する爪部が形成され、前記端子部材に対してスライドすることで前記爪部が前記電子機器本体に係合する状態または前記爪部と前記電子機器本体との係合が解除される状態となる蓋部材と、
前記端子部材と前記蓋部材との間に配置され、操作されることで、前記蓋部材の前記端子部材に対するスライド動作を規制する状態または前記蓋部材の前記端子部材に対するスライド動作を許可する状態となる操作部材と、
前記操作部材が操作されることで、前記蓋部材の前記端子部材に対するスライド動作を規制する状態から前記蓋部材の前記端子部材に対するスライド動作を許可する状態となるときに、所定信号を出力する信号出力手段とを有することを特徴とする電子機器。
【発明の詳細な説明】
【０００１】
【発明の属する技術分野】
本発明は、電池収容室を有する電子機器に関するものである。
【０００２】
【従来の技術】
従来、電池やメモリカード等が装着されることによって作動する電子機器（例えばデジタルカメラ）において、これらの装着部が、固定部材に対して平行移動した後に回動可能な開閉機構をもつ蓋部材を有し、蓋部材とは別部材として、その開閉機構を規制する操作部材をもつものがある。また、その操作部材の位置を検出することで蓋部材の開閉状態を検出する機構をもち、蓋部材が開状態では、電子機器の電気的なシステムを常にＯＦＦとする機能をもつものもある。それにより、電気的なシステムがＯＮのまま、蓋部材で覆われている電気部品（電池やメモリカード等）を着脱することができなくなり、したがって、電気的な処理を行っている最中にその電気部品が抜かれて電気的な保存処理等が完了しないままになってしまうといった問題を回避することができる。
【０００３】
ただし、最近では電気的な処理が途中終了しても問題がない電子機器も出てきており、前述の検出機構をもたないものも存在する。そのような電子機器においては、蓋部材側に開閉機構の全てをもつようにして、本体側の設計の自由度をあげるようにした構成のものもある。こうした電子機器の一例の構成を、図２１〜図２５を参照して説明する。
【０００４】
図２１及び図２３は、蓋部材の開閉状態を検出する検出機構をもたない電子機器の一例のｘ−ｚ平面図であり、図２２及び図２４はそれらのｙ−ｚ断面図である。図２１及び図２２と、図２３及び図２４とでは、後述の蓋部材１０２の位置が異なっている。図２５は、上記電子機器において蓋部材１０２が回転した場合のＸ−Ｚ断面図である。
【０００５】
図中１０２は蓋部材であり、ｘ−ｚ平面に対して平行移動した後に回動可能な開閉機構を持つ。１０１は操作部材であり、蓋部材１０２に設けられて上記の開閉機構を規制する。１０２ａは蓋部材１０２の一端に設けられたつめ、１０３はつめ１０２ａに係合する本体側のつめ受け、１０４は蓋部材１０２の回動の中心となる軸部である。
【０００６】
図２１に示すように、操作部材１０１を矢印α方向に平行移動すると、蓋部材１０２が、図２１及び図２２に示すように、矢印β方向に平行移動可能となる。蓋部材１０２を矢印β方向に平行移動すると、図２４に示すように、蓋部材１０２のつめ１０２ａがつめ受け１０３から開放され、蓋部材１０２は軸部１０４を中心として、図２５に示すように、矢印γ方向へ回動可能となる。
【０００７】
【発明が解決しようとする課題】
しかしながら、蓋部材の開閉状態を検出する検出機構を使用する必要のある電子機器では、図２１〜図２５に示すような、上記検出機構をもたない電子機器における蓋部材の開閉機構を採用することは非常に困難である。
【０００８】
なぜならば、蓋部材の開閉状態を検出する検出機構は本体側に位置する一方、図２５に示すように、蓋部材１０２の内部に操作部材１０１が存在すると、蓋部材１０２の回動動作と共に操作部材１０１も回動してしまうので、蓋部材１０２が回動自在な状態にて検出機構に含まれるスイッチのようなものを常に押しつづけることは、形状的に難しいからである。
【０００９】
本発明はこのような問題点に鑑みてなされたものであって、従来の蓋部材の開閉機構を採用しつつ、蓋部材が開状態の間、操作部材の位置を常に検出できるようにした電子機器を提供することを目的とする。
【００１０】
【課題を解決するための手段】
上記目的を達成するために、本発明の電子機器は、電池収容室を有する電子機器において、前記電池収容室に収容される電池の端子と接触可能な突起が形成され、電子機器本体に対して回動可能に取り付けられる端子部材と、前記端子部材に対してスライド可能に支持されるとともに、前記電子機器本体と係合する爪部が形成され、前記端子部材に対してスライドすることで前記爪部が前記電子機器本体に係合する状態または前記爪部と前記電子機器本体との係合が解除される状態となる蓋部材と、前記端子部材と前記蓋部材との間に配置され、操作されることで、前記蓋部材の前記端子部材に対するスライド動作を規制する状態または前記蓋部材の前記端子部材に対するスライド動作を許可する状態となる操作部材と、前記操作部材が操作されることで、前記蓋部材の前記端子部材に対するスライド動作を規制する状態から前記蓋部材の前記端子板に対するスライド動作を許可する状態となるときに、所定信号を出力する信号出力手段とを有することを特徴とする。
【００１１】
【発明の実施の形態】
以下、本発明の実施の形態を、図面を参照して説明する。
【００１２】
図１は、本発明に係る電子機器の一実施の形態を装着したデジタルカメラを前面側から見た斜視図であり、図２は、該デジタルカメラを背面側から見た斜視図である。
【００１３】
デジタルカメラでは、フロントカバー１とリアカバー４３とが、図３に示すような各種内部部品を覆うようにしている。
【００１４】
図３は、図１に示すデジタルカメラのＡ−Ａ断面図である。
【００１５】
図３に示すように、デジタルカメラの内部には、各種の電気的動作を行うための電源を供給する４本の単三の電池２（２ａ〜２ｄ）が装着可能であり、そのうち電池２ａ、２ｂ、２ｃの３本は、図３に示すｘ方向に横並びに一直線に並んでおり、電池２ｄの１本は上記一直線に対してｚ軸正方向側（カメラ前面側）にずれて位置し、フロントカバー１に覆われる形でデジタルカメラを保持しやすくする為のグリップ部を形成している。
【００１６】
図４は、電池２を電気的に接続する構成を示す分解図である。
【００１７】
電池２ｃの（−）側（マイナス側）はテーパバネ３ｃと接触し、テーパバネ３ｃはＢ−Ｄケーブル５の（−）側に半田付けされる。電池２ｃの（＋）側（プラス側）は順に、板金端子３の突起３ａ、板金端子３の突起３ｂ、電池２ａの（−）側、電池２ａの（＋）側、テーパバネ３ａ、テーパバネ３ａとつながっているテーパバネ３ｂ、電池２ｂの（−）側、電池２ｂの（＋）側、板金端子４の突起４ａ、板金端子４の突起４ｂ、電池２ｄの（−）側、電池２ｄの（＋）側、テーパバネ３ｄ、テーパバネ３ｄに半田付けされているＢ−Ｄケーブル５の（＋）側に接続される。
【００１８】
Ｂ−Ｄケーブル５はコネクタ５ａに接続され、コネクタ５ａは、図３に戻って、ＤＣ基板６に設けられたコネクタ６ａに挿入される。ＤＣ基板６に設けられた回路により、電池２から供給された電圧が、デジタルカメラを作動させるのに適した電圧に調整される。この調整後の電圧は、フレキシブル基板７を介してメイン基板８に、Ｄ−Ｓリード線９を介してＳＴ基板１０に、及びフレキシブル基板１１を介して液晶表示ユニット（以下「ＬＣＤユニット」と呼ぶ）１２に供給される。
【００１９】
なお、本実施の形態では電池２は単三電池から構成されるものとしているが、長手方向の両端部にそれぞれ（＋）、（−）極をもつ電池であれば、電池２の種類はその他のものであってもよい。
【００２０】
図５は、図１に示すデジタルカメラのＢ−Ｂ断面図である。
【００２１】
ＤＣ基板６上にはＤＣ／ＩＮ端子６ｂが半田付けされる。電池２に代わって、このＤＣ／ＩＮ端子６ｂに外部から電源供給ケーブル等（図示せず）が接続されると、電源供給ケーブル等を介して供給された電圧が、ＤＣ基板６に設けられた回路によって、デジタルカメラを作動させるのに適した電圧に調整され、電池２からの電源と同様にデジタルカメラの各部へ供給される。
【００２２】
ＳＴ基板１０上には外部出力用デジタル端子１０ａ、外部出力用アナログ端子１０ｂが半田付けされており、また、メインコンデンサ１３、ストロボユニット１４が配置されている。ＤＣ基板６からＤ−Ｓリード線９を介してＳＴ基板１０に供給されてきた電流はメインコンデンサ１３に蓄えられ、ストロボユニット１４の作動電圧に昇圧された電圧状態を保つ。メイン基板８からフレキシブル基板１５を介してＳＴ基板１０に送られてくる信号に基づき、ＳＴ基板１０上の回路が、撮影に光量が不足する時などにストロボユニット１４を発光させる。
【００２３】
また、外部のデジタル機器と信号やデータのやり取りをする際には、外部出力用デジタル端子１０ａに各種デジタル通信用ケーブル等（図示せず）が接続され、これによってデジタルカメラと外部のデジタル機器とが通信可能となる。同様に外部アナログ表示機等と通信をする際には、外部出力用アナログ端子１０ｂに各種アナログ通信用ケーブル等（図示せず）が接続される。
【００２４】
なお、これらのＤＣ／ＩＮ端子６ｂ、外部出力用デジタル端子１０ａ、外部出力用アナログ端子１０ｂを使用しない時は、図７に示すように、端子カバー３８がフロントカバー１に装着されて、各端子が不用意に露出しない構造となっている。
【００２５】
図７は、図１に示すデジタルカメラのＦ−Ｆ断面図である。
【００２６】
端子カバー３８には端子嵌合部３８ａが設けられる。この端子嵌合部３８ａはフロントカバー１の穴１ｃに嵌め込まれて各端子に嵌合し、各端子が不用意に露出しない構造となっている。なお、図８は、図７に示すデジタルカメラにおいて端子カバー３８の位置が異なっている場合を示す図であり、図９は端子カバー３８を示す図である。
【００２７】
この端子カバー３８は単体では、図９に示すように、固定部３８ｃがｚ軸と平行であるのに対して、端子嵌合部３８ａ及び外観部３８ｂを含むカバー本体部がｚ軸からある角度Ａをもつ形状とする。この形状のため、図７に示すように、フロントカバー１に組み込まれた時は、端子嵌合部３８ａと外観部３８ｂとが常に各端子を覆う方向に付勢された状態となり、不用意に各端子が露出しない構造となっている。また、端子カバー３８を矢印Ｌ（図７）の方向に開いた後は、図８に示すように、端子カバー３８のＵ字部３８ｄがフロントカバー１の外側に露出してフロントカバー１の穴１ｃに引っかかり、端子カバー３８が、図７に示すフロントカバー１の閉状態に容易に戻らない構造となっている。これにより、端子カバー３８を開いた状態において、前述の通信用ケーブルの接続が行い易い。
【００２８】
デジタルカメラでは、図２に示す電源ボタン３２をｚ軸正方向に数秒間押し込むことで電源ＯＮとなる。図３に戻って、電源ＯＮに伴なってＤＣ基板６から電源が供給されたメイン基板８の回路では、電子写真の撮影、再生が可能となる。なお、誤動作を防ぐために、電源ボタン３２を数秒間押し込まない限り電源ＯＮとならないように、あらかじめプログラムが作成されている。また、電源ＯＮの状態で再び電源ボタン３２を押し込むことで電源ＯＦＦとなる。
【００２９】
電源ＯＮ状態にて、図２に示すモードダイヤル３３を回転させ、「撮影モード」を選択すると撮影可能となる。撮影モードが選択されると、図３において、メイン基板８からＬＣＤフレキシブル基板３６を介してＬＣＤユニット１２へ、また光学フレキシブル基板２５を介して鏡筒ユニット１６へ信号が送られる。この信号によって、鏡筒ユニット１６ではシャッター絞り２６が、レンズ群１７を介して入って来る光量に応じた所定の絞り量に可変され、この結果、撮像素子（以下「ＣＣＤ」と呼ぶ）１８に結像された被写体の画像が、ＬＣＤユニット１２に表示される。
【００３０】
被写体の構図を決めるためには、ユーザが、このＬＣＤユニット１２に表示されている画像を見ながらデジタルカメラの姿勢を調整する。または、ユーザが、図２に示すファインダーユニット３４を覗き、そこに見える撮影枠内の所望の位置に被写体が来るようにデジタルカメラの姿勢を調整する。
【００３１】
被写体画像の拡大、縮小は、図２に示すズームレバー３５の操作により可能である。また、図２に示す操作ボタン３７をユーザが操作することで、画像の記録サイズ、記録する画像の圧縮率、日時等が設定できる。また、ストロボ発光の有無の設定、シャッタースピード調整、連続撮影機能の設定、タイマー撮影機能の設定、近・遠距離撮影機能の設定、ホワイトバランスの設定等が可能である。さらに、モードダイヤル３３を操作して、通常の撮影モードとは別に「スティッチモード」を選択すると、ＬＣＤユニット１２に撮影手順が表示され、この手順に従って撮影していくだけで、簡単にパノラマ画像を撮影することもできる。
【００３２】
図６は、図１に示すデジタルカメラのＣ−Ｃ断面図である。
【００３３】
被写体の構図が決まった時点で、図６に示すレリーズボタン２１をｙ軸負方向側に押し下げると、レリーズ基板２２上に半田付けされているレリーズスイッチ２４がＯＮとなり、このレリーズＯＮ信号がフレキシブル基板２３を介してメイン基板８へ送られ、この結果、ＣＣＤ１８（図３）に結像されている被写体画像を保存する処理が下記のように行われる。
【００３４】
すなわち、静止画像の保存処理工程では、図３に示すように、まず静止画像データが、ＣＣＤ１８からＣＣＤフレキシブル基板１９を介してメイン基板８へ送られ、メイン基板８上の演算回路（以下「ＣＰＵ」と呼ぶ）２０にて所定のデータ処理が行われ、一時的にバッファメモリ３１に記憶される。その後、図６に示すように、フレキシブル基板２７を介して操作基板２８上のメモリカード用コネクタ２９に送られる。このメモリカード用コネクタ２９にメモリカード３０が接続されていれば、静止画像データはメモリカード３０に記録される。メモリカード３０はデジタルカメラから着脱自在となっている。
【００３５】
動画像の保存処理工程では、図６に示すレリーズボタン２１が一度押された時点で録画開始となり、その後、図３において、ＣＣＤ１８に結像される全ての画像がＣＣＤフレキシブル基板１９を介してメイン基板８へ送られ、メイン基板８上のＣＰＵ２０にて所定の処理が行われ、静止画同様、図６に示すメモリカード３０に記録される。
【００３６】
本実施の形態では、全ての画像データがメモリカード３０に蓄えられる構成をとるが、メイン基板８等に内蔵メモリを設け、その内蔵メモリにも画像データを保存可能な構成にしてもよい。その場合は、デジタルカメラを使用するユーザが、メモリカード３０と内蔵メモリとのどちらにデータを保存するかを選択可能な構成とする。
【００３７】
保存された画像データを再生するには、ユーザが、図２に示すモードダイヤル３３を回転して「再生モード」を選択する。再生モードでは、図６に示すメモリカード３０（もしくは内蔵メモリ）に保存されている画像（静止画または動画）データをデータ保存時とは逆の順序で、図３において、メイン基板８に送り、ＬＣＤフレキシブル基板３６を介してＬＣＤユニット１２に送り、表示する。
【００３８】
ＬＣＤユニット１２の表示においては、その表示された画像がどのような撮影条件にて撮影されたかを示す情報も同時に表示され得る。また操作ボタン３７（図２）をユーザが操作することにより、複数の画像を順送りで表示したり、画像を消去したり、誤消去を防止するプロテクト設定を行ったり、表示画像を画面上で回転したり、複数の画像を一定時間毎に順に表示するオートプレイを行ったり、画像のプリント指定を設定したりすること等ができる。さらに、図２に示すズームレバー３５の操作も含めれば、拡大表示や一画面に複数枚の画像を一度に表示するインデックス表示もできる。
【００３９】
電池２を交換するには、図１及び図２に示す電池蓋３９を開けて交換する。電池蓋３９の構成を、図１０を参照して説明する。
【００４０】
図１０は、電池蓋ユニットの構成を示す組み立て図である。
【００４１】
電池蓋３９には穴３９ａが空いており、そこにスライドボタン４０がｘ軸方向にスライド可能な状態で組み込まれる。スライドボタン４０を電池蓋３９に組み込む際に、同時に、コイルバネ４１がスライドボタン４０のバネ軸４０ｃに被せられ、電池蓋３９のバネ溝３９ｂに組み込まれ、これによって、スライドボタン４０は常にｘ軸正方向にコイルバネ４１によって付勢される。その上に、板金端子３が、電池蓋３９の押さえリブ３９ｃの下を滑るようにｚ軸正方向に組み込まれ、板金端子３の穴３ｃと穴３ｄとにそれぞれスライドボタン４０の突起４０ａと突起４０ｂとが嵌合する。したがって、板金端子３は、電池蓋３９に対してｚ軸方向にスライド可能な状態で組み込まれる。
【００４２】
板金端子４は電池蓋３９のリブ３９ｄに嵌合され、穴４ｃを通してビスで電池蓋３９に固定される。
【００４３】
以上のように電池蓋ユニットを完成した後に、電池ボックス４２に板金端子３を組み込み、軸４９を、電池ボックス４２の穴４２ｂ、板金端子３のカール曲げ３ｅ、電池ボックス４２の穴４２ａの順にｘ軸方向に貫通して、板金端子３を電池ボックス４２に対して回動可能な状態にする。
【００４４】
次に、電池蓋３９の開閉状態を検出するための構成を、図１１から図１６を参照して説明する。
【００４５】
図１１は、電池蓋３９が閉状態にあるときのデジタルカメラのｘ−ｚ平面図であり、図１２は、図１１示す状態にあるデジタルカメラにおける図１０に示す電池蓋３９のＤ−Ｄ断面図であり、図１３は後述の検出レバー４８及び検出スイッチ４４を示すｘ−ｚ平面図である。
【００４６】
図１２に示すように、電池ボックス４２の端部に、ｘ方向にスライド自在な検出レバー４８が嵌合され、この検出レバー４８の一部が、スライドボタン４０の溝４０ｄ（図１０）に挟まれ、これによって、スライドボタン４０のｘ軸方向への移動に連動して、検出レバー４８がｘ軸方向に移動する。また、図１３に示すように、検出レバー４８がｘ軸負方向に移動した際に、検出レバー４８が当接する位置に検出スイッチ４４が配置される。この検出スイッチ４４は、押しボタンスイッチから成り、図３に示すメイン基板８上に設けられる。
【００４７】
図１２に示すように、通常、電池蓋３９のつめ３９ｅがフロントカバー１のつめ１ａに嵌合され、電池蓋３９は閉状態にある。電池蓋３９を開けるときは、図１１に示すように、コイルバネ４１によりｘ軸正方向に付勢されているスライドボタン４０を矢印Ｄの方向へスライドさせ、その状態のまま電池蓋３９をスライドボタン４０と共に矢印Ｂの方向へスライドさせる。
【００４８】
電池蓋３９を矢印Ｂの方向へスライドさせることで、図１２に示すように、電池蓋３９のつめ３９ｅがフロントカバー１のつめ１ａからはずれ、図１６に示すように、電池蓋３９が軸４９を中心に回動可能となる。図１６は、電池蓋３９が回動状態にあるときのデジタルカメラのｙ−ｚ平面図である。
【００４９】
電池蓋３９を閉めるときは逆に、図１２に示すように、電池蓋３９をｚ軸と平行となるまで回動させた後に、図１５に示すように、電池蓋３９を矢印Ｃの方向に押して、フロントカバー１のつめ１ａと電池蓋３９のつめ３９ｅとを嵌合する。このとき、図１４に示すように、スライドボタン４０はコイルバネ４１により矢印Ｅの方向にスライドされ、この結果、電池蓋３９はｚ軸方向にスライドできないよう固定される。図１４は、スライドボタン４０がコイルバネ４１により矢印Ｅの方向にスライドされるときのデジタルカメラのｘ−ｚ平面図であり、図１５は、図１４示す状態にあるデジタルカメラにおける図１０に示す電池蓋３９のＤ−Ｄ断面図である。
【００５０】
ところで、電池蓋３９を開けるべく、図１１に示すように、スライドボタン４０を矢印Ｄの方向へスライドさせると、図１３に示すように、スライドボタン４０と連動する検出レバー４８が検出スイッチ４４に当接して、検出スイッチ４４をＯＮ状態にする。検出スイッチ４４がＯＮ状態となることによって、メイン基板８上の回路において、電池蓋３９が開状態であることが認識される。この認識が行われると直ちに、デジタルカメラの全ての電気的なシステムに対して終了処理が行われる。これにより、その後に電源供給源である電池２がデジタルカメラから外されても何ら支障はなく、電気的なエラーが発生することを防ぐことができる。
【００５１】
また、電池蓋３９を閉じられ、図１４に示すように、スライドボタン４０が矢印Ｅの方向へスライドされると、この時点で検出レバー４８が検出スイッチ４４から離れ、検出スイッチ４４はＯＦＦ状態になるので、デジタルカメラの全ての電気的なシステムは動作可能な状態に戻る。
【００５２】
次に、カードカバー４５の構成を、図１７〜図２０を参照して説明する。
【００５３】
図１７〜図２０は、図２に示すデジタルカメラのＥ−Ｅ断面図であり、順にカードカバー４５が開状態に成る経過を示している。
【００５４】
デジタルカメラにはメモリカード３０が着脱自在となっており、メモリカード３０を覆うようにカードカバー４５がリアーカバー４３に設けられる。
【００５５】
図１７に示すように、カードカバー４５の一端部にはｙ軸方向に延びる回動軸４５ａが設けられ、回動軸４５ａは、電池ボックス４２及び突起４２ｃとフロントカバー１とに囲まれており、そのままでは矢印Ｆの方向には移動できない状態にある。また、カードカバー４５の他端部にはつめ４５ｂが設けられ、つめ４５ｂがリアカバー４３のつめ受け４３ａに嵌合しており、カードカバー４５が回動軸４５ａを中心に回動できないよう固定されている。
【００５６】
メモリカード３０を交換するべく、カードカバー４５を開けるには、カードカバー４５の突起４５ｃに指をかけて、矢印Ｆの方向に力を加える。これにより、回動軸４５ａが電池ボックス４２の突起４２ｃを乗り越え、図１８に示す状態となる。この時、カードカバー４５のつめ４５ｂはリアカバー４３のつめ受け４３ａから開放されるので、カードカバー４５は回動軸４５ａを中心に矢印Ｉの方向へ回動可能となる。回動軸４５ａは、図１８においてｚ軸方向を長径とする楕円形状である。そのため、図１９に示すように、電池ボックス４２とフロントカバー１との間の寸法Ｇより、回動軸４５ａの長径の寸法Ｈの方が大きく、カードカバー４５を回動軸４５ａを中心に矢印Ｉの方向へ回動させると、回動軸４５ａはフロントカバー１と電池ボックス４２とを変形させながら回動することになる。そして、回動が進み、図２０に示す状態になると、回動軸４５ａは電池ボックス４２とフロントカバー１とを変形させることなく、それらが成す空間に収まる。このとき、メモリカード３０がデジタルカメラから取り出し可能な状態となる。
【００５７】
カードカバー４５を、図１９に示す状態へ戻すためには、電池ボックス４２とフロントカバー１とを変形させる大きな回動力が必要となるため、不用意にカードカバー４５が回動することはなく、メモリカード３０の良好な着脱操作が可能となる。
【００５８】
なお、操作基板２８上には検出スイッチ４６が設けられ、カードカバー４５が、図１７及び図１８に示す各状態にあるときは、カードカバー４５の検出レバー４５ｄが検出スイッチ４６を常にＯＮ状態に保つ。そして、カードカバー４５が回動し始めると同時に、検出レバー４５ｄは検出スイッチ４６から離れ、検出スイッチ４６はＯＦＦ状態となる。検出スイッチ４６がＯＦＦ状態になると直ちに、デジタルカメラの全ての電気的なシステムに対して終了処理が行われる。これにより、その後にメモリカード３０がデジタルカメラから外されても何ら支障はなく、電気的なエラーが発生することを防ぐことができる。
【００５９】
メモリカード３０が装着されて、カードカバー４５がリヤーカバー４３に固定されると、図１７に示す状態となり、デジタルカメラは再び使用可能な状態に戻る。
【００６０】
【発明の効果】
以上詳述したように本発明によれば、蓋部材が開状態の間、操作部材の位置を常に検出できる。
【図面の簡単な説明】
【図１】  本発明に係る電子機器の一実施の形態を装着したデジタルカメラを前面側から見た斜視図である。
【図２】  本発明に係る電子機器の一実施の形態を装着したデジタルカメラを背面側から見た斜視図である。
【図３】  図１に示すデジタルカメラのＡ−Ａ断面図である。
【図４】  電池を電気的に接続する構成を示す分解図である。
【図５】  図１に示すデジタルカメラのＢ−Ｂ断面図である。
【図６】  図１に示すデジタルカメラのＣ−Ｃ断面図である。
【図７】  図１に示すデジタルカメラのＦ−Ｆ断面図である。
【図８】  図７に示すデジタルカメラにおいて端子カバーの位置が異なっている場合を示す図である。
【図９】  端子カバーを示す図である。
【図１０】  電池蓋ユニットの構成を示す組み立て図である。
【図１１】  電池蓋が閉状態にあるときのデジタルカメラのｘ−ｚ平面図である。
【図１２】  図１１示す状態にあるデジタルカメラにおける図１０に示す電池蓋のＤ−Ｄ断面図である。
【図１３】  検出レバー及び検出スイッチを示すｘ−ｚ平面図である。
【図１４】  スライドボタンがコイルバネにより矢印Ｅの方向にスライドされるときのデジタルカメラのｘ−ｚ平面図である。
【図１５】  図１４示す状態にあるデジタルカメラにおける図１０に示す電池蓋のＤ−Ｄ断面図である。
【図１６】  電池蓋が回動状態にあるときのデジタルカメラのｙ−ｚ平面図である。
【図１７】  図２に示すデジタルカメラのＥ−Ｅ断面図であり、カードカバーが開状態に成る第１の経過状態を示している。
【図１８】  図２に示すデジタルカメラのＥ−Ｅ断面図であり、カードカバーが開状態に成る第２の経過状態を示している。
【図１９】  図２に示すデジタルカメラのＥ−Ｅ断面図であり、カードカバーが開状態に成る第３の経過状態を示している。
【図２０】  図２に示すデジタルカメラのＥ−Ｅ断面図であり、カードカバーが開状態に成る第４の経過状態を示している。
【図２１】  蓋部材の開閉状態を検出する検出機構をもたない従来の電子機器の一例のｘ−ｚ平面図である。
【図２２】  図２１に示す電子機器のｙ−ｚ断面図である。
【図２３】  蓋部材の開閉状態を検出する検出機構をもたない従来の電子機器の一例のｘ−ｚ平面図である。
【図２４】  図２３に示す電子機器のｙ−ｚ断面図である。
【図２５】  図２１及び図２３に示す電子機器において蓋部材が回転した場合のＸ−Ｚ断面図である。
【符号の説明】
１  フロントカバー（筐体）
１ａ  つめ
３  板金端子
３ｅ  カール曲げ
４  板金端子
３９  電池蓋（蓋部材）
３９ｅ  つめ
４０  スライドボタン（操作部材）
４１  コイルバネ
４２  電池ボックス
４３  リアーカバー
４４  検出スイッチ（信号出力手段）
４８  検出レバー
４９  軸
Ｂ  移動方向
Ｄ  移動方向
【図１】
0004566432.tif 000002
【図２】
0004566432.tif 000003
【図３】
0004566432.tif 000004
【図４】
0004566432.tif 000005
【図５】
0004566432.tif 000006
【図６】
0004566432.tif 000007
【図７】
0004566432.tif 000008
【図８】
0004566432.tif 000009
【図９】
0004566432.tif 000010
【図１０】
0004566432.tif 000011
【図１１】
0004566432.tif 000012
【図１２】
0004566432.tif 000013
【図１３】
0004566432.tif 000014
【図１４】
0004566432.tif 000015
【図１５】
0004566432.tif 000016
【図１６】
0004566432.tif 000017
【図１７】
0004566432.tif 000018
【図１８】
0004566432.tif 000019
【図１９】
0004566432.tif 000020
【図２０】
0004566432.tif 000021
【図２１】
0004566432.tif 000022
【図２２】
0004566432.tif 000023
【図２３】
0004566432.tif 000024
【図２４】
0004566432.tif 000025
【図２５】
0004566432.tif 000026